(57)【要約】  本発明は、アバットメントに対してクラウン等の上部構造体を取り付けるための手法に関し、その手法は、熱可塑性材料を機械的エネルギの投入により流動可能にし取付構造体に対して流れるようにすることにより、上部構造体およびクラウンを固定することを含む。
2021521922.tif 000002
【特許請求の範囲】
【請求項１】
アセンブリであって、
第１のアンダーカットを画定する第１の取付構造体を有するアバットメントと、
前記アバットメントに固定される上部構造体とを備え、
前記上部構造体は、前記第１の取付構造体に接触するように配置された熱可塑性インプラントを有し、前記熱可塑性材料は、機械的振動により液化可能であり、かつ前記第１の取付構造体に対して流動可能であり、それにより、再固化後、前記上部構造体は、前記第１のアンダーカットによる嵌合接続によって前記アバットメントに固定される、または、
前記上部構造体は、第２のアンダーカットを備えた第２の取付構造体を有し、さらに、熱可塑性材料を有する接続部品が設けられ、前記熱可塑性材料は、機械的振動により液化可能であり、かつ、前記第１の取付構造体および前記第２の取付構造体に対して流動可能であり、それにより、再固化後、前記上部構造体は、前記熱可塑性材料が流入した前記第１のアンダーカットおよび前記第２のアンダーカットによる嵌合接続によって前記アバットメントに固定される、アセンブリ。
【請求項２】
前記上部構造体は、クラウン、ブリッジ、義歯、顔用補綴物、および歯科矯正用アンカーからなる群より選択される、請求項１に記載のアセンブリ。
【請求項３】
前記熱可塑性インプラント、または前記熱可塑性材料を有する接続部品は、熱可塑性ピンである、または熱可塑性リングを含む、請求項１または２に記載のアセンブリ。
【請求項４】
前記熱可塑性インプラント、または前記熱可塑性材料を有する接続部品は、熱可塑性ピンであり、前記アバットメントはチャネルを有し、前記上部構造体はポケットを有し、前記上部構造体を前記アバットメント上に配置した後に、前記チャネルによって前記ポケットにアクセスすることができ、前記熱可塑性ピンを前記ポケットに導入することができる、請求項３に記載のアセンブリ。
【請求項５】
前記ポケットは十字形に形成された空のスペースを含む、請求項４に記載のアセンブリ。
【請求項６】
前記第１の取付構造体は、十字形に形成された前記チャネルの周りにアンダーカットを有する、請求項４または５に記載のアセンブリ。
【請求項７】
前記チャネルは、前記上部構造体の根尖側端部内に位置する、請求項４〜６のいずれか１項に記載のアセンブリ。
【請求項８】
前記チャネルは、舌側、頬側、または唇側に位置する、請求項４〜７のいずれか１項に記載のアセンブリ。
【請求項９】
前記熱可塑性インプラント、または前記熱可塑性材料を有する接続部品は、前記第１の取付構造体と前記第２の取付構造体との間に嵌められたカップである、請求項１〜３のいずれか１項に記載のアセンブリ。
【請求項１０】
前記カップは、根尖側リングと、歯冠側リングと、前記根尖側リングと前記歯冠側リングとを接続するスティックとからなる、請求項９に記載のアセンブリ。
【請求項１１】
前記アバットメントおよび／または前記上部構造体は、少なくとも１つの鋸歯状面を有する溝を含み、前記スティックは前記溝に嵌合する、請求項１０に記載のアセンブリ。
【請求項１２】
前記アバットメントはリセスを有し、前記熱可塑性インプラントの、または前記熱可塑性材料を有する接続部品の前記根尖側リングは前記リセスに嵌合する、請求項１０または１１に記載のアセンブリ。
【請求項１３】
前記熱可塑性インプラント、または前記熱可塑性材料を有する接続部品は、ヘッド領域を有するピンを含む、請求項１〜３のいずれか１項に記載のアセンブリ。
【請求項１４】
前記ヘッド領域はその冠側端部にエネルギ誘導構造体を有する、請求項１３に記載のアセンブリ。
【請求項１５】
前記熱可塑性材料を有する接続部品は、前記アバットメントに固定される、請求項１〜１４のいずれか１項に記載のアセンブリ。
【請求項１６】
前記アバットメントは、前記熱可塑性インプラントの、または前記熱可塑性材料を有する接続部品の液化のための対向面を形成し、前記対向面は、溶融の開始のため、かつ、液化した前記熱可塑性材料の流れを導くためのエネルギ誘導構造体を有する、請求項１〜１５のいずれか１項に記載のアセンブリ。
【請求項１７】
前記熱可塑性インプラント、または前記熱可塑性材料を有する接続部品は、さらに、前記アバットメントの固定具を固定するのに適している、請求項１〜１６のいずれか１項に記載のアセンブリ。
【請求項１８】
超音波振動エネルギを熱可塑性材料に与えるためのツールと、個々の患者に固有の上部構造体またはアバットメントと、中間部品とを備えたセットであって、前記中間部品は、前記上部構造体または前記アバットメントに適合した形状を有する根尖側端部と、前記ツールに結合するのに適した歯冠側端部とを有する、セット。
【請求項１９】
上部構造体、アバットメント、または請求項１〜１７のいずれか１項に記載のアセンブリを備える、請求項１８に記載のセット。
【請求項２０】
前記アバットメントの質量中心は、前記ツールによって定められる中心軸に対して位置合わせされる、請求項１９に記載のセット。
【請求項２１】
歯科用上部構造体をアバットメントに取り付ける方法であって、
請求項１〜１７のいずれか１項に記載のアセンブリを準備するステップと、
前記アセンブリの部品を、歯科用インプラント体の上に、機械的振動により液化可能な前記熱可塑性インプラントがまたは前記熱可塑性材料を有する接続部品が、前記第１の取付構造体にまたは前記第１および第２の取付構造体のそれぞれに接触するように、配置するステップと、
前記熱可塑性インプラントに、または前記熱可塑性材料を有する接続部品に、液化に十分でありかつ液化された材料の流動に十分である条件の下で、機械的振動を与えるステップと、
前記液化された材料の再固化により、第１のアンダーカットに、または第１および第２のアンダーカットそれぞれに対する嵌合接続を形成するステップとを含む、方法。
【請求項２２】
前記液化された材料により充填される前記第１のアンダーカットまたは前記第１および第２のアンダーカットは、再固化後の、前記上部構造体および前記アバットメントの相対的な移動を防止するように設計される、請求項２１に記載の方法。
【発明の詳細な説明】
【技術分野】
【０００１】
発明の分野
本発明は、歯科用インプラントシステムおよび歯科用上部構造体の分野に属する。本発明はさらに、歯の修復のための補綴システムのさまざまな要素の固定に関し、特にアバットメントまたはインプラント体に対する上部構造体の固定に関する。
【背景技術】
【０００２】
発明の背景
歯科用インプラントシステムは、ワンピース型歯科用インプラントシステムと、ツーピース型歯科用インプラントシステムとを含む。ワンピース型歯科用インプラントシステムに含まれるワンピース型歯科用インプラント体は、骨内部と、移行部と、上部構造体（人口歯（クラウン）または義歯）を取り付けるための装着構造体とを有する。ツーピース型歯科用インプラントシステムに含まれる歯科用インプラント体は、骨内部を有し、移行部を有する場合があり、アバットメントを固定できるようにするためのアバットメント装着構造体を有する。アバットメントは、歯科用インプラント体に固定可能でありかつ上部構造体を取り付けるための装着構造体を有する、中間部品である。ワンピース型歯科用インプラントシステムおよびツーピース型歯科用インプラントシステムの双方に長所と短所があるが、ツーピース型歯科用インプラントシステムの方がますます普及しつつある。
【０００３】
従来技術によると、ツーピース型インプラントシステムのインプラント体に対するアバットメントの固定には、主としてねじ接続および接着接続という選択肢がある。アバットメントの装着構造体（ポストなど）またはワンピース型インプラントシステムの歯科用インプラント体の装着構造体（ポストなど）に対する上部構造体の固定は、接着接続の方が多い。
【０００４】
ＷＯ２００８／３４２７６およびＷＯ２００８／１２８３６７は、骨の中に接合する２つの部品を含むさまざまなインプラントを、超音波振動で液化させることができる熱可塑性材料を用いて固定することに関する。歯科用インプラントシステムは開示されていない。
【０００５】
ＦＲ２８６３４７８は、歯科用インプラント体を、またはアバットメントの取付ポストを囲む、ポリマーシースを記載している。このシースは、一旦埋め込まれた歯科用補綴要素を取り外し易くするのに適しているであろう。ＵＳ４５５２５３２は、顎骨に固定される根本部を用いる歯科用インプラントシステムに関する。クラウンに加わる力を緩和するために、プラスチックのような材料からなる弾性部材が、歯科用インプラント体とアバットメントとの間、またはアバットメントをインプラントに固定するのに使用される固定材（ねじ）との間に設けられる。また、ＤＥ１０２０１３００６８２９は、歯科用インプラント体のねじ山と、アバットメントのねじ山またはアバットメントねじとの間の、ポリマーインレーを記載している。ＵＳ５１２２０５９は、ねじれ耐性を有するインプラントを得るために金属インプラントポスト上の固定ヘッド（アバットメント）を囲む、プラスチック材料からなる中間保持リングを開示している。ＥＰ００１５５９９は、歯科用インプラント体内部の、たとえばＰＭＡからなる軟質層を記載している。ポリマー層は、コアを囲んでおり、骨と同様の剛性を有する第３の層で覆われている。層状にすることで、支えている骨に引張り応力が生じ、骨の自立支持機構が有効になるであろう。
【発明の概要】
【課題を解決するための手段】
【０００６】
接続材料を残さずに容易に取り外すことが可能な、アバットメントに対する上部構造体の固定を開示している周知の先行技術は存在しない。したがって、本発明の解決策は、機械エネルギによって生じる塑性変形を利用して取り外すことが可能な、アバットメントと上部構造体との間の接続を提供するであろう。本発明の解決策はさらに、アバットメントの追加の固定具を後退防止のために固定することを可能にする。
【０００７】
発明の概要
本発明の目的は、アバットメントをインプラント体に固定するための、および／または上部構造体をアバットメントの装着構造体にもしくはワンピース型インプラントシステムのインプラント体の装着構造体に固定するための、経済的でありかつ信頼性が高い手法を提供することである。この固定手法は、たとえば、以下の課題、すなわち、
−インプラント体とアバットメントとの間および／または装着構造体と上部構造体との間に改善されたシールを提供すること、
−改善された減衰を提供すること、
−インプラント体における応力集中を低減すること、
−張力（最大約９５０Ｎ）、屈曲およびねじり力のすべてに耐えることができる接続を提供すること、
−少なくともいくつかの構成については可逆接続を提供すること、
のうちの１つ以上を解決することができる。
【０００８】
本発明のある局面に従うと、
−第１の部品が、第１のアンダーカットを画定する第１の取付構造体を有し、
−第１の部品に固定される第２の部品が、第１の取付構造体と接するように配置された熱可塑性インプラントを有し、熱可塑性材料は、機械的振動により液化可能であり、かつ、第１の取付構造体に対して流動することが可能であり、したがって、再固化後、第２の部品は、第１のアンダーカットによる嵌合接続（positive fit connection）によって第１の部品に固定される、および／または
−第１の部品に固定される第２の部品が、第２のアンダーカットを有する第２の取付構造体を有し、さらに、熱可塑性材料を有する接続部品が設けられ、熱可塑性材料は、機械的振動により液化可能であり、かつ、第１および第２の取付構造体に対して流動することが可能であり、したがって、再固化後、第２の部品は、熱可塑性材料が流入した第１および第２のアンダーカットによる嵌合接続によって第１の部品に固定され、
第１および第２の部品は、
・インプラント体および／または
・アバットメントおよび／または
・上部構造体
のうちの２つである。
【０００９】
後者の状態は、第１の部品がインプラント体であり第２の部品がアバットメントであるもしくはその逆であることを、または、第１の部品がインプラント体であり第２の部品が上部構造体であるもしくはその逆であることを、または、第１の部品がアバットメントであり第２の部品が上部構造体であるもしくはその逆であることを、示唆している。このコンセプトを３つの部品に適用することが可能である、すなわち、第１の部品をこの手法によって第２の部品に固定することが可能であり同時に第３の部品を同じ手法によって第２の部品に固定することが可能であってもよい。
【００１０】
本発明は、上記手法および方法に従う、インプラントシステムと、
・インプラント体および／または
・アバットメントおよび／または
・上部構造体
のうちの少なくとも２つのセットとの双方を、カバーする。
【００１１】
本発明はさらに、
・インプラント体および／または
・アバットメントおよび／または
・上部構造体および／または
・熱可塑性接続部品
のうちの少なくとも１つのセットを、アンカーツールとともにカバーし、アンカーツールは、たとえばソノトロードであり、インプラント体、アバットメント、上部構造体、および／または接続部品の熱可塑性材料を液化するために機械的振動エネルギをインプラント体、アバットメント、上部構造体および／または接続部品に結合するように構成されている。
【００１２】
インプラントはさらに、ある手法によって第１の部品を第２の部品に取り付ける方法に関連し、これは、熱可塑性材料を機械的エネルギの投入により流動可能にし取付構造体に対して流動させることにより本明細書に記載のように上記部品を固定することを含み、第１および第２の部品は、
・インプラント体および／または
・アバットメントおよび／または
・上部構造体
のうちの２つである。
【００１３】
本発明に係る手法は可逆接続を提供する、すなわち、それぞれの取付構造体に浸透した熱可塑性材料を、たとえばさらに機械的エネルギを投入またはその他のエネルギ（熱源またはレーザ等）を投入して再加熱することにより、ほとんど力を加えずに接続を解除することができるという意味での、可逆接続を提供する。実施形態において、当該材料の残留可塑変形性により、インプラントシステムの構成部品の構造にも組織にも損傷を与えることなく機械的に取り外すことができる。後者は特に、仮に固定した部品を、その後たとえば治癒過程後に、正式なアバットメント／正式な上部構造体等の正式な部品と交換する場合の、仮に固定する部品の接続に好都合であろう。
【００１４】
本発明に係る手法は特に、断面に丸みがないシステムに好適である。言い換えると、それぞれの取付構造体は、軸方向においてアンダーカットを有するだけでなく、丸みがない断面を有することにより、ねじり移動に対して嵌合接続をもたらすことができる。
【００１５】
本発明のさらに他の局面に従うと、アセンブリは、第１の部品と、第２の部品と、第２の部品を第１の部品に固定するための固定具、たとえば固定ねじとを含む。アセンブリはまた、緩まないように固定具を固定するために使用される熱可塑性接続部品を含む。特に、接続部品を用いることにより、固定具の近位方向の開口を熱可塑性材料で満たすことができ、それにより、固定具は後退（backout）が生じないように確実に固定され、かつ封止もされる。そのために、熱可塑性接続材料は、エネルギ、特に機械的エネルギの衝撃により、当該材料が固定具に対して流動するまで、少なくとも部分的に流動可能にされてもよく、固定具の一部を埋め込むことによりその緩みを防止することができる。また、この局面において、第１および第２の部品は、
・インプラント体および／または
・アバットメントおよび／または
・上部構造体
のうちの２つである。
【００１６】
本発明は、特にアセンブリに関し、このアセンブリは、
第１のアンダーカットを画定する第１の取付構造体を有するアバットメントと、
上記アバットメントに固定される上部構造体とを備え、
上記上部構造体は、上記第１の取付構造体に接触するように配置された熱可塑性インプラントを有し、熱可塑性材料は、機械的振動により液化可能であり、かつ上記第１の取付構造体に対して流動可能であり、それにより、再固化後、上記上部構造体は、上記第１のアンダーカットによる嵌合接続によって上記アバットメントに固定される、または、
上記上部構造体は、第２のアンダーカットを備えた第２の取付構造体を有し、さらに、熱可塑性材料を有する接続部品が設けられ、上記熱可塑性材料は、機械的振動により液化可能であり、かつ、上記第１の取付構造体および上記第２の取付構造体に対して流動可能であり、それにより、再固化後、上記上部構造体は、上記熱可塑性材料が流入した上記第１のアンダーカットおよび上記第２のアンダーカットにより嵌合接続によって上記アバットメントに固定される。
【００１７】
本明細書で使用される、「補綴インプラントアバットメント」とも呼ばれる「アバットメント」という用語は、歯科用インプラント体と上部構造体との間の接続要素を意味する。スリーピース型インプラントにおいて、アバットメントは、たとえばねじによる突合わせ接合でインプラント体に固定することができる。ツーピース型インプラントにおいて、アバットメントは、インプラント体に対してモールステーパ（morse tapered）または冷間溶接される。ワンピース型インプラントは、経粘膜アバットメントをインプラント体の一体部分として取り込んだものである。アバットメントは、チタン、サージカルステンレス鋼および金等の、さまざまな材料から作ることができる。
【００１８】
本明細書で使用される「上部構造体」という用語は、歯科用補綴物を意味する。このような歯科用補綴物は、突出しているインプラントアバットメントの上に配置される。好ましくは、上部構造体は、クラウン、ブリッジ、義歯、顔用補綴物、または歯科矯正用アンカーからなるまたはこれらを含む群より選択される。上部構造体は、セラミック（酸化ジルコニウム等）、金属、金属と、セラミック、またはポリメチルメタクリレートアクリル（ＰＭＭＡ）もしくはＰＥＥＫのような高強度ポリマーもしくはガラスもしくはカーボン繊維強化ＰＥＥＫのシェードパウダー（shaded powder）とを合わせたものから作られていてもよい。
【００１９】
本明細書で使用される「近位」という用語は、超音波手術用器具の筐体に対する取付ポイントまたはこの器具のユーザに対する取付ポイントに最も近いことを意味する。本明細書で使用される「遠位」という用語は、超音波手術用器具の筐体に対する取付ポイントまたはこの器具のユーザに対する取付のポイントから遠い場所にあることを意味する。よって、遠位端および近位端は互いに反対側にある端部である。本明細書で使用される「根尖側」という用語は、歯（または修復物）の根冠または根尖に向かう方向を意味し、逆に「歯冠側」は、歯または歯の修復物のクラウンに向かう方向を意味する。本明細書で使用される「頬側」という用語は、歯の、頬または唇の内側に隣接する（またはその方向の）側を意味し、逆に（口の）「舌側」は、歯の、舌または口蓋に隣接する（またはその方向の）側を意味する。本明細書で使用される「頬側」は、すべての歯（前および後方）を意味し、したがって前歯の前側の面（またはその方向）を表す。
【００２０】
本発明のある実施形態はアセンブリに関し、熱可塑性インプラントまたは熱可塑性材料を有する接続部品は、熱可塑性ピンである、または熱可塑性リングを含む。
【００２１】
クラウン修復物の下にある歯の組織の治療、特に壊死したまたは過去に治療した歯髄の非外科的歯内治療を行えるようにするために、クラウン修復物を取り除くことが必要になる場合がある。いくつかの方法を用いることができ、選択は、通常、クラウン修復物の性質および品質によって決まる、すなわち、クラウン修復物を残すか取り換えるかによって決まる。本発明は、上部構造体たとえばクラウンと、アバットメントとを含むアセンブリを提供し、このアバットメントは、恒久的な固定後に上部構造体をアバットメントから容易に取り外すことを可能にする。上部構造体は、上部構造体とアバットメントとの間の嵌合接続を形成するために使用される熱可塑性材料に対して超音波エネルギを与えることで、取り外すことができる。熱可塑性材料は、アバットメントおよび上部構造体の上に残留物を残すことなく、かつこれらの部品に損傷を与えることなく、取り除くことができる。そのため、どちらの部品も再利用が可能である。
【００２２】
熱可塑性インプラント、または、熱可塑性材料を有する接続部品が、リングであるまたはリングを含む場合、このリングを、アバットメントと上部構造体との間の空間の封止材として使用することができる。このアセンブリの装着完了後、このリングは、上部構造体およびアバットメントに対して（密な）フォーム・クロージャ（foam closure）を有するであろう。したがって、上部構造体およびアバットメントは、機械的エネルギを用いた液化後にリングの熱可塑性材料で充填されるアンダーカットを備えた取付構造体を有し得る。リングは、製造中にアバットメントまたは上部構造体に予め装着して接合しておいてもよく（熱可塑性インプラント）、または、アセンブリの別部品として提供されてもよい（熱可塑性材料を有する接続部品）。アセンブリの別部品である各接続部品は、装着（患者の口内へのインプラント）中にアバットメントと上部構造体との間に一体化させてから、溶融させてアバットメントおよび／または上部構造体に流し入れる必要がある。アバットメントまたは上部構造体に予め装着される熱可塑性インプラントは、対応する部品に接合する必要がある。したがって、超音波振動のような機械的エネルギを用いることにより、熱可塑性材料を液化させ、そうすると熱可塑性材料は、アンダーカットに、または、アバットメントおよび／または上部構造体の取付構造体内部の空のスペースに流入することができる。
【００２３】
熱可塑性インプラント、または、熱可塑性材料を有する接続部品が、ピンである場合、このピンは、製造中にアバットメントまたは上部構造体に予め装着して接合しておいてもよく（熱可塑性インプラント）、または、アセンブリの別部品として提供されてもよい（熱可塑性材料を有する接続部品）。別部品としてのピンは、上部構造体をアバットメントに装着しているときにアバットメントと上部構造体との間に導入してもよく、または、上部構造体のアクセス孔を介して、アバットメントへの装着後に導入してもよい。
【００２４】
したがって、本発明のある実施形態はアセンブリに関し、熱可塑性インプラント、または熱可塑性材料を有する接続部品は、熱可塑性ピンであり、アバットメントはチャネル（アクセス孔）を有し、上部構造体はポケットを有し、上部構造体をアバットメントの上に配置（第２の取付構造体を第１の取付構造体に接触するように配置することを意味する）した後に、チャネルによってポケットにアクセスすることができ、熱可塑性ピンをポケットに導入することができる。
【００２５】
充填されるポケット、アンダーカットまたは空のスペースは、２つの自由度のロックを許容するように配置することができ、すなわち、上部構造体の２方向の移動（軸方向の張力および圧力ならびに回転は防止されるべきである。本発明のある実施形態はアセンブリに関し、ポケットは十字形に形成された空のスペースを含む、または、ポケットは十字形に形成される。ポケット、アンダーカット、または空のスペースは、ある角度を形成し互いに直交し得る２つの異なる軸の方向に延ばしてもよい。
【００２６】
好ましくは、第１の取付構造体は、十字形に形成されたチャネルの周りにアンダーカットを有する。さらに、チャネルは上部構造体の根尖側端部に位置していてもよい。加えて、チャネルは舌側または頬側に位置していることが好ましく、舌側が好ましい。
【００２７】
本発明の別の実施形態はアセンブリに関し、熱可塑性インプラント、または、熱可塑性材料を有する接続部品は、第１および第２の取付構造体の間に配置されるカップである。カップは、対称ではないが、切頭円錐形状を取り得るアバットメントの取付構造体にフィットする必要がある。これにより、熱可塑性材料をアバットメントおよび上部構造体に対して周方向に接触させて、アバットメントと上部構造体との間の空間を最小にすることができる。カップおよびその要素の厚さは０．２〜１ｍｍであってもよい。
【００２８】
好ましくは、カップは、根尖側リングと、歯冠側リングと、根尖側リングと歯冠側リングとを接続するスティック（またはストライプ）とで構成される。スティックの高さは０．２〜１ｍｍであってもよい。歯冠側リングのみが熱可塑性材料を有することにより、アバットメントの上部（歯冠側端部）においてのみロックが生じるようにしてもよい。この場合、好ましくは、アバットメントまたは上部構造体は、歯冠側リングまたはこのリングの液化材料を収容するための溝を周囲に有する。根尖側リングは、アバットメントと上部構造体との間の空間を画定する支持要素として使用されてもよく、または、封止リングとして使用されてもよく、または、アバットメントのリセス上のカップを支持（位置決め）してもよい。
【００２９】
スティックもまた熱可塑性材料で作られていてもよい。この場合、アバットメントおよび／または上部構造体は、スティックに対応する細長い窪みを有していてもよい（アセンブリが組み立てられるときにスティックは細長い窪みに嵌る）。これらの細長い窪みは、上部構造体の内側に、および／またはアバットメントの外側に位置していてもよい。これらの細長い窪みの深さは、スティックの高さの４０％と６０％の間であってもよい。細長い窪みの間隔は、０．４ｍｍと２ｍｍの間であってもよい。細長い窪みは、アンダーカットを有していてもよく、鋸歯状であってもよい。スティックの熱可塑性材料は、液化すると、アンダーカットまたは鋸歯状の構造の下の空のスペースに流れ込んで嵌合接続を形成する。
【００３０】
したがって、本発明のある実施形態はアセンブリに関し、アバットメントおよび／または上部構造体は、少なくとも１つの鋸歯状面を有する細長い窪みを含み、スティックはこの細長い窪みに嵌る。別の実施形態はアセンブリに関し、アバットメントはリセスを有し、熱可塑性インプラントの、または、熱可塑性材料を有する接続部品の、根尖側リングは上記リセスに嵌る。好ましくは、リセスは周方向の溝である。これに代えて、アバットメントは、その上に根尖側リングを載せることができる棚部または肩部を有する。
【００３１】
本発明のある実施形態は、アバットメントの最上部の上に上部構造体をロックまたは固定できるように設計されたアセンブリに関する。ある実施形態はアセンブリであり、熱可塑性インプラント、または、熱可塑性材料を有する接続部品は、（歯冠側）ヘッド領域を有するピンを含む。ヘッド領域は、上部構造体の取付構造体に固定するのに好適なものとすることができる。ピンの根尖側端部は、アバットメントの取付構造体に固定されるように設計することができる。本発明のある実施形態はアセンブリに関し、ヘッド領域は、その歯冠側端部にエネルギ誘導構造体を含む。エネルギ誘導構造体は、ヘッド領域上のエネルギ誘導リブとして設計されてもよい。エネルギ誘導リブは互いに平行に延びていてもよい。これに代えて、突起、エッジ、またはチップが、顕著なエネルギ誘導特性を有していてもよい。
【００３２】
熱可塑性材料を有する接続部品は、（製造中に）アバットメントに固定されてもよい。発明者らは、接続部品またはピンと上部構造体との間の最初の接続面積が、接続部品またはピンとアバットメントとの間の最初の接続面積よりも大きいことが好都合であることを示すことが可能であろう。したがって、本発明のある実施形態はアセンブリに関し、アバットメントは、熱可塑性インプラントの、または熱可塑性材料を有する接続部品の、液化のための対向面を形成し、対向面は、溶融の開始のため、かつ、液化した熱可塑性材料の流れを導くためのエネルギ誘導構造体を有する。チップまたは鋭いエッジをエネルギ誘導構造体として使用してもよい。振動がアセンブリにたとえば上部構造体を介して結合される初期段階の間、接続部品の熱可塑性材料は、比較的鋭いエッジ等のエネルギ誘導構造体と接触しているので、熱可塑性材料はこのエネルギ誘導特性によって液化される。
【００３３】
スリーピース型インプラントの場合、アバットメントは一般的にねじによる突合わせ接合でインプラント体に固定される。ねじは、歯科用トルクレンチで予め定められたトルクになるように締める必要がある。発生する１つの問題は、咀嚼中にねじが緩むことであり、咀嚼は、インプラントとアバットメントとの間の界面に反時計回りのトルクを生じさせてアバットメントのねじの緩みを促進し得ることが多い。
【００３４】
本発明の別の局面はアセンブリに関し、熱可塑性インプラント、または、熱可塑性材料を有する接続部品は、さらに、アバットメントの固定具、たとえばねじを固定するのに適している。このアセンブリはさらに固定具および／またはインプラント体を含む。好ましくは、固定具、インプラント体、および、熱可塑性材料を有する接続部品は、熱可塑性材料が再固化後に、固定具の軸方向の（後退する）動き、インプラント体に対する固定具の回転、および／またはインプラント部に対する固定具の角度の変化、のうちの少なくとも１つを防止すべく、固定具を固定するように構成される。さらに、熱可塑性材料を、接続部品からの超音波振動を用いて分離させることができる。
【００３５】
本発明の別の実施形態は、歯科用インプラント体と、アバットメントまたは上部構造体と、アバットメントまたは上部構造体をインプラント体に固定するための固定具、たとえば固定ねじとを含み、固定具、インプラント体および／またはアバットメント／上部構造体は、熱可塑性材料を含み、熱可塑性材料が再固化後に、固定具を、軸方向の（後退する）動きを防止すべく、固定するように構成される。アセンブリはまた、歯科用インプラントと、アバットメントまたは上部構造体と、アバットメントまたは上部構造体をインプラント体に固定するための固定具、たとえば固定ねじとを含み、また、熱可塑性接続部品を用いて固定具を緩まないように固定する。特に、接続部品を用いて、固定具の近位方向に位置する開口を、熱可塑性材料で充填することにより、固定具は、確実に後退を防止するように固定され、封止もされる。そのために、熱可塑性材料は、少なくとも部分的に、エネルギ、とくに機械的エネルギの衝撃により、熱可塑性材料が固定具に対して流れて固定具の一部を埋め込むことによって緩みが生じないようにするまで、流動可能にされてもよい。
【００３６】
固定具はねじ山を含み得る。この場合、固定具とインプラント部品との間の相対移動は、固定具を、たとえば骨の中に、またはチューリップのようなインプラント部品の内ねじに、または別のインプラント部品、たとえば第２のインプラント部品の内ねじに、ねじ込むことによって生じる。このような実施形態において、接続部品は、緩む動きを防止することができ、このことは、固定具の軸方向の（後退する）移動を、たとえばストップを形成して軸方向の（後退する）移動を概ね防止することによって、および／または下記のような回転ロックによって、防止することを意味する。
【００３７】
ある実施形態において、固定具およびインプラント体は、インプラント体、アバットメントに対する固定具の角度の変化を許容するように、または、インプラント体に対する固定具の角度の変化を防止するように、設計される。いずれの場合も、熱可塑性材料（場合によって接続部品）、固定具、およびインプラント体を、熱可塑性材料（場合によって接続部品）が再固化後に軸方向の（後退する）動きが生じないよう固定具を固定するように、設計することができる。インプラント体またはアバットメントに対する固定具の角度の変化を許容する実施形態において、熱可塑性材料（場合によって接続部品）、固定具、およびインプラント体を、任意で、熱可塑性材料（場合によって接続部品）が再固化後にインプラント体に対する固定具の角度の変化が生じないよう固定具を固定するように、設計することができる。
【００３８】
特に、熱可塑性材料（場合によって接続部品）は、第１の状態および第２の状態に変形可能であってもよく、熱可塑性材料（場合によって接続部品）は、第１の状態において、固定具を軸方向の（後退する）動きが生じないように固定し、熱可塑性材料（場合によって接続部品）は、第２の状態において、固定具を軸方向の（後退する）動きが生じないようにかつインプラント体に対する固定具の角度の変動が生じないように、固定する。上記固定は、熱可塑性材料が直接または間接的に実現できる。たとえば、後者は、熱可塑性材料が、熱可塑性材料のみから構成されていない接続部品に属する場合である。
【００３９】
このような実施形態には、医師が、インプラント体／アバットメントに対する固定具（たとえばねじ）の角度の変化を許容するか否かを判断できるという利点がある。
【００４０】
固定具を固定する熱可塑性材料は、固定具に、アバットメントに、または、アバットメントをインプラント体に接続するまたは上部構造体をアバットメントに接続するために使用される接続部品に、属することができる。さらに他の可能性として、熱可塑性材料は、最初はソノトロードに属していてもよい。ある実施形態は、その歯冠側端部に、特に歯冠側端部の側部に熱可塑性材料を含む、アバットメントまたは上部構造体のための固定具を含む。別の実施形態は、最初はソノトロードに属する熱可塑性材料を用いて固定具を固定することに関し、アバットメントはアンダーカットを有し、熱可塑性材料はアンダーカットに流入して再固化後に固定具をアバットメントの中で固定することができる。アバットメントまたは上部構造体（固定構造体）の側部領域、特に、固定具のための開口の側部が、鋸歯状であってもよく、これは、開放された多孔または畝、ねじ山などであってもよく、これが、再固化後に熱可塑性材料が充填する軸方向のアンダーカットを形成し、それにより、固定具はアバットメントまたは上部構造体に固定される。このような構造体は、熱可塑性材料が固定具に属するかまたは別要素として提供される実施形態の選択肢でもある。固定具はさらに、側方においてアバットメントのアンダーカットに確実に流入させる材料ガイド突起を有していてもよい。
【００４１】
固定具は固定具収容開口部内に位置していてもよく、固定具の軸は、固定具収容開口部を囲むアバットメント／上部構造体の遠位表面部分によって定められる法線に対する角度をなして延びており、このことは、固定具の軸が収容開口部の長手方向軸に対して平行ではないことを意味する。一群の実施形態において、熱可塑性材料で充填される固定構造体（空のスペース、アンダーカットなど）は、アバットメント、上部構造体の内部の固定具収容開口部の壁に配置されてもよく、固定具のヘッド部は、固定具のヘッド部の遠位端に配置された熱可塑性材料を固定構造体の内部に導くように構成することができる。
【００４２】
アバットメントおよび／または上部構造体に対する固定具の向きの角度に関係なく、アバットメントまたは上部構造体の固定構造体に、液化した熱可塑性材料を固定具から流入させるチャネルがあってもよい。言い換えると、チャネルの形状は、液化した熱可塑性材料を、固定具軸とアバットメント上面またはアバットメントと上部構造体との間の接触面との間で取り得る角度の範囲全体にわたり、チャネルから固定構造体に流すことができるように、設計される。
【００４３】
ある実施形態において、このチャネルの機能は、チャネルの底部が、少なくともチャネルそれぞれの開放端の領域において、固定構造体の近位端よりも遠位位置にあり、かつ、チャネルの遠位端を定めるエッジが、少なくとも部分的に、固定構造体の遠位端よりも近位位置にあることにより、実現される。
【００４４】
特に、固定構造体の配置およびチャネルの設計は、チャネルの底部および固定構造体の近位端の相対位置と、チャネルのエッジおよび固定構造体の遠位端の相対位置とが、固定具軸とアバットメント上面またはアバットメントと上部構造体との間の接触面との間で取り得る角度の全範囲において、変わらないようにされる。
【００４５】
固定具内部の熱可塑性要素は、複数のチャネルと係合するように設計された複数の突起を含み得る。しかしながら、これは、チャネルに適合させた特定の遠位形状を有しないリング状の熱可塑性要素またはキャップ状の熱可塑性要素であってもよい。
【００４６】
機械的振動により発生する摩擦でポリマーを液化させることを含む、本発明の実施形態に係るおよび方法に係る装置に適した機械的振動または発振の周波数は、好ましくは２ｋＨｚと２００ｋＨｚとの間（より好ましくは１０ｋＨｚと１００ｋＨｚとの間または２０ｋＨｚと４０ｋＨｚとの間）であり、振動エネルギは、アクティブ面１平方ミリメートル当たり０．２〜２０Ｗである。振動要素（ソノトロード）は、たとえばその接触面が振動要素の軸の方向において主に振動し（長手方向の振動）振幅が１μｍと１００μｍとの間、好ましくはおよそ４０〜８０μｍとなるように設計される。回転または径方向の発振も可能である。
【００４７】
装置の特定の実施形態において、アンカー材料の液化に必要な上記摩擦熱を発生させるために、機械的振動の代わりに回転運動を用いることも可能である。このような回転運動の速度は、好ましくは１０，０００〜１００，０００ｒｐｍの範囲に含まれる。
【００４８】
所望の液化のために熱エネルギを発生させるさらに他の方法は、インプラントする装置部品のうちの１つに電磁放射を結合することと、装置部品のうちの１つを電磁放射を吸収できるように設計することとを含み、このような吸収は、好ましくは液化させるアンカー材料の中またはその直近で生じる。好ましくは、可視または赤外周波数範囲の電磁放射が用いられ、好ましい放射源は対応するレーザである。装置部品のうちの１つを電気的に加熱することも可能である。
【００４９】
本明細書において「たとえば機械的振動により液化可能な熱可塑性材料」、略して「液化可能な熱可塑性材料」または「液化可能材料」という表現は、少なくとも１つの熱可塑性成分を含む材料を説明するために使用され、この材料は、加熱されると、特に、摩擦によって加熱されると、すなわち一対の表面（接触面）のうちの一方に、互いに接触するように配置され、振動または回転するように相対的に移動したときに、液体になる（流動可能になる）。この振動の周波数は、２ｋＨｚと２００ｋＨｚとの間、好ましくは２０〜４０ｋＨｚであり、振幅は、１μｍと１００μｍとの間、好ましくはおよそ４０〜８０μｍである。このような振動は、たとえば、歯科用途で知られている超音波装置によって生じさせる。
【００５０】
本明細書において、一般的に、「液化不能」材料は、プロセス中に到達する温度では液化しない、したがって、特に固定具の熱可塑性材料が液化する温度では液化しない、材料である。このことは、概ねプロセス中に液化する１つの熱可塑性材料または複数の熱可塑性材料の液化温度を大幅に（たとえば少なくとも８０℃）上回る温度である、プロセス中に到達しない温度では、液化不能材料は液化可能であるという可能性を、排除しない。液化温度は、結晶性ポリマーの場合、溶融温度である。非晶性熱可塑性物質の場合、液化温度は、ガラス転位温度よりも高い、十分に流動可能になる温度であり、「流れ温度」（押出成形が可能になる最低温度と定義されることがある）と呼ばれることがあり、たとえば、熱可塑性材料の粘度が低下して１０４Ｐａ＊ｓよりも低くなる（特に、実質的に繊維で強化されていないポリマーの実施形態では、１０３Ｐａ＊ｓよりも低くなる）温度である。
【００５１】
たとえば、液化不能材料は、液化温度が液化可能材料の液化温度よりも大幅に高い、たとえば、溶融温度および／またはガラス転位温度よりも少なくとも５０℃または８０℃または１００℃高い、金属、またはセラミック、または硬質プラスチック、たとえば、強化されたもしくは強化されていない熱硬化性ポリマーまたは強化されたもしくは強化されていない熱可塑性物質であってもよい。
【００５２】
負荷に耐える接続を構成できるようにするために、熱可塑性材は、０．５ＧＰａよりも高い、好ましくは１ＧＰａよりも高い弾性係数を有し得る。０．５ＧＰａ以上の弾性係数は、液化可能材料が、超音波振動を、減衰がほとんどないので液化可能要素の内部液化が生じずしたがって不安定化が生じない状態で、伝達可能であることも、保証する。すなわち、液化は、液化可能材料がストップ面に対する液化界面にある場合にのみ生じる。可塑化温度は、好ましくは最大２００℃、２００℃と３００℃との間、または３００℃よりも高い。用途に応じて、液化可能熱可塑性材料は、吸収性でない場合がある。しかしながら、構成次第で、熱可塑性エラストマーも熱可塑性材料の選択肢である。これらは、たとえば患者が硬いものを噛んだときのピーク力を吸収できるという特性を有する。
【００５３】
非分解性材料の具体的実施形態は、ポリエーテルケトン（ＰＥＥＫ  Ｏｐｔｉｍａ、グレード４５０および１５０、Invibio Ltd）、硬質熱可塑性ＰＵ、ポリエーテルイミド、ポリアミド１２、ポリアミド１１、ポリアミド６、ポリアミド６６、ポリカーボネート、ポリメチルメタクリレート、ポリオキシメチレン、またはポリカーボネートウレタン（特にＤＳＭのＢｉｏｎａｔｅ（登録商標）、とりわけＢｉｏｎａｔｅ７５ＤおよびＢｉｏｎａｔｅ６５Ｄであり、情報は、たとえばAutomation Creations, Inc.のwww.matweb.comを介して公的にアクセス可能なデータシートから得られる。ポリマーおよび用途の概要の表が、Wintermantelの１５０頁に示されており、具体例は、Wintermantelの１６１頁以降にある（ＰＥ、Ｈｏｓｔａｌｅｎ  Ｇｕｒ  ８１２、Ｈｏｅｃｈｓｔ  ＡＧ）、ページ１６４〜（ＰＥＴ）１６９〜（ＰＡ、すなわちＰＡ６およびＰＡ６６）、１７１〜（ＰＴＦＥ）、１７３〜（ＰＭＭＡ）、１８０（ＰＵＲ、表参照）、１８６〜（ＰＥＥＫ）、１８９〜（ＰＳＵ）、１９１〜（ＰＯＭ−ポリアセタール、商品名Ｄｅｌｒｉｎ、ＴｅｎａｃはＰｒｏｔｅｃにより内蔵人工器官でも使用されている）。
【００５４】
熱可塑性を有する液化可能材料は、さらに他の機能を果たす異種の相または化合物を含み得る。特に、熱可塑性材料は、混合された充填材、たとえば治療またはその他所望の効果を有し得る粒状充填材で強化することができる。熱可塑性材料はまた、その場で拡張または溶解する（ポアを形成する）成分（たとえばポリエステル、多糖類、ヒドロゲル、リン酸ナトリウム）、またはその場で放出される、治療効果たとえば治癒および再生促進を示す化合物（たとえば、成長因子、抗生物質、炎症抑制剤、または酸分解の有害作用を防止するリン酸ナトリウムまたは炭酸カルシウム等の緩衝材）を、含み得る。
【００５５】
液化可能材料を、振動エネルギではなく電磁放射を用いてで液化させる場合、液化可能材料は、特定の周波数範囲（特に可視または赤外線周波数範囲）のこのような放射線を吸収可能な化合物（粒状または分子）、たとえば、リン酸カルシウム、炭酸カルシウム、リン酸ナトリウム、酸化チタン、雲母、飽和脂肪酸、多糖類、グルコース、またはその混合物を、局所的に含んでいてもよい。
【００５６】
部品（場合によっては、熱可塑性材料が部品のうちの少なくとも１つに含まれる場合、熱可塑性材料以外）は、金属、たとえばチタンまたはチタン合金で作られていてもよい。これに代えて、部品は、酸化ジルコニウム等のセラミックからなるものであってもよい。代替材料は、金、ステンレス鋼のようなその他の金属、ＰＥＥＫ等の硬質プラスチックなどである。組み合わせることが可能であり、たとえば、金属のインプラント体とセラミックのアバットメントおよび／または上部構造体との組み合わせである。
【００５７】
現在使用されている多くの上部構造体またはアバットメントは、患者ごとに設計されている。このことは、ソノトロードが超音波を伝達することができる共通の面がないことを意味する。上部構造体がたとえば接続部品のためのアクセス孔を含む実施形態のみが、共通のソノトロードで固定することができ、ソノトロードは、アクセス孔に嵌合し、超音波を接続部品に直接伝達することが可能である。
【００５８】
したがって、本発明は、超音波振動エネルギを熱可塑性材料に与えるためのツールと、個々の患者に固有の上部構造体またはアバットメントと、中間部品とを含む、セットに関し、上記中間部品は、上部構造体またはアバットメントに適合した形状を有する根尖側端部と、ツールに結合するのに適した歯冠側端部とを有する。ツールは当該技術において周知のソノトロードであってもよい。振動エネルギを患者固有のアバットメントまたは上部構造体に伝達できるようにするために、ソノトロードを、中間部品とのセットとして使用してもよい。この中間部品は、歯冠側端部または近位端上においてソノトロードの遠位端に結合するのに適した構造、たとえば差し込み式接続部またはねじ接続部を有している必要がある。よって、中間部品の近位端は、ソノトロードに対する汎用的結合を可能にする接続要素（ピン、スリットねじまたはプラグなど）を有する。中間部品の根尖側端部または遠位端は、患者固有の上部構造体またはアバットメントの、表面のうちの少なくとも１つの領域にまたは歯冠側端部に適合している必要がある。このことは、中間部品の遠位端が、固定する上部構造体またはアバットメントの患者固有の輪郭の凹形状であってもよい、個々の界面を有することを、意味する。
【００５９】
このような中間部品を製造するために、デジタル歯転写のデータまたは物理的な歯転写の寸法を用いることができる。中間部品は、ＣＡＤ（コンピュータ支援設計）ソフトウェアを用いて設計してもよく、ＰＥＥＫまたは熱硬化性樹脂（duromer）のような高温ポリマーで作られていてもよい。本発明のある実施形態は、上部構造体、アバットメント、または本明細書で規定されているアセンブリを含む、セットを意味する。本発明の別の実施形態はセットに関し、アバットメントの質量中心は、ツールが定める中心軸に対して位置合わせされる。
【００６０】
本発明の別の局面は、歯科用上部構造体をアバットメントに取り付ける方法に関し、この方法は、
本発明に係るアセンブリを準備するステップと、
アセンブリの部品を、歯科用インプラント体の上に、機械的振動により液化可能な熱可塑性インプラントがまたは熱可塑性材料を有する接続部品が、第１の取付構造体にまたは第１および第２の取付構造体に接触するように、配置するステップと、
熱可塑性インプラントにまたは熱可塑性材料を有する接続部品に、液化に十分でありかつ液化された材料の流動に十分である条件の下で、機械的振動を与えるステップと、
液化された材料の再固化により、第１のアンダーカットにまたは第１および第２のアンダーカットそれぞれに対する嵌合接続を形成するステップとを含む。
【００６１】
本発明の別の実施形態は方法に関し、再固化後に熱可塑性材料で充填される第１のアンダーカットまたは第１および第２のアンダーカットは、上部構造体およびアバットメントの相対的な移動を防止するように設計される。本発明のさらに他の実施形態は方法に関し、アバットメントを歯科用インプラント部品に固定するために用いられる、アバットメントの固定具は、液化した材料によって固定される。
【００６２】
本発明は、上部構造体をアバットメントから取り外す方法をさらに含み、この方法は、上部構造体とアバットメントとの間に嵌合接続を形成するために用いられる熱可塑性材料に対して、超音波エネルギを、この熱可塑性材料が少なくとも部分的に液化して上部構造体をアバットメントから分離させるまで、与えるステップを含む。この方法は特に、上部構造体をアバットメントから取り外すことに関連し、上部構造体およびアバットメントは本発明に係るアセンブリの部品である、または、上部構造体は本発明の方法に従って取り付けられる。
【００６３】
以下、本発明を実施する方法および実施形態を図面を参照しながら説明する。図面は概略図である。図面において、同一の参照番号は同一のまたは類似する要素を示す。図面は本発明の実施形態を示す。
【図面の簡単な説明】
【００６４】
【図１】アバットメントおよび歯科用インプラント体のアセンブリを、インレーとしての熱可塑性材料からなる接続部品とともに示す図である。
【図２】アバットメントおよび歯科用インプラント体のアセンブリを、インレーとしての熱可塑性材料からなる接続部品とともに示す図である。
【図３】アバットメント、クラウン、およびソノトロードのアセンブリを、中間部品とともに示す図である。
【図４】アバットメントおよび歯科用インプラントのアセンブリを、ピンとしての熱可塑性材料からなる接続部品とともに示す図である。
【図５】アバットメントおよび歯科用インプラントの別のアセンブリを、ピンとしての熱可塑性材料からなる接続部品とともに示す図である。
【図６】アバットメントと歯科用インプラントとの接続を示す図である。
【図７】アバットメントおよび歯科用インプラントのアセンブリを、ピンとしての熱可塑性材料からなる接続部品とともに示す図である。
【図８】アバットメントおよび歯科用インプラントのアセンブリを、ピンとしての熱可塑性材料からなる接続部品および封止リングとともに示す図である。
【図９】アバットメントおよび歯科用インプラントの別のアセンブリを、歯冠側ヘッド部を有するピンとしての熱可塑性材料からなる接続部品とともに示す図である。
【図１０】アバットメントおよび歯科用インプラントのアセンブリを、インレーとしての熱可塑性材料からなる接続部品および封止リングとともに示す図である。
【図１１】アバットメントまたは上部構造体の取付構造体の形状を示す図である。
【図１２】アバットメントまたは上部構造体の取付構造体の、別の形状を示す図である。
【図１３】アバットメントまたは上部構造体の取付構造体のさらに他の形状を示す図である。
【図１４】アバットメントまたは上部構造体の取付構造体の形状を示す図である。
【図１５】アバットメント、クラウンおよびソノトロードのアセンブリを示す図である。
【図１６ａ】アバットメント上の熱可塑性材料の可能なコーティングを示す平面図Ａである。
【図１６ｂ】アバットメント上の熱可塑性材料の可能なコーティングを示す側面図Ｂである。
【図１７】クラウン等の上部構造体の内側の熱可塑性材料の可能なコーティングを示す図である。
【図１８】アバットメントと上部構造体との間に使用されるリングの形態の接続部品を示す図である。
【図１９】上部構造体をアバットメントに固定するために使用されるリングの形態の別の接続部品を示す図である。
【図２０】アバットメントまたは上部構造体の取付構造体の形状を示す図である。
【図２１】アバットメントまたは上部構造体の取付構造体の別の形状を示す図である。
【図２２】アバットメントと上部構造体との間に使用されるリングの形態の接続部品を示す図である。
【図２３】上部構造体をアバットメントに固定するために使用される固定具を固定する接続部品を示す図である。
【図２４】アバットメントと、クラウンと、クラウンのアクセス孔を用いて導入するピンの形態の接続部品とを含むアセンブリを示す図である。
【図２５】図２４の実施形態の断面の平面図を示す。
【図２６】アバットメントと歯科用インプラント体と接続部品とを含むアセンブリをソノトロードとともに示す図である。
【図２７】例として取付ポストの水平方向の断面を概略的に示す図である。
【図２８】上部構造体と、アバットメントと、熱可塑性材料からなるまたは熱可塑性材料を含む接続部品とのアセンブリを示す図である。
【図２９】上部構造体と、アバットメントと、熱可塑性材料からなるまたは熱可塑性材料を含む接続部品との別のアセンブリを示す図である。
【図３０】カップの形態の接続部品および嵌合アバットメント構造体を示す図である。
【図３１】カップの形態の別の接続部品および嵌合アバットメント構造体を示す図である。
【図３２】上部構造体と、アバットメントと、熱可塑性材料からなるまたは熱可塑性材料を含む接続部品とのアセンブリを、封止リングとともに示す図である。
【図３３】上部構造体と、アバットメントと、ピンの形態の、熱可塑性材料からなるまたは熱可塑性材料を含む接続部品とのアセンブリを示す図である。
【図３４】上部構造体と、アバットメントと、ピンの形態の、熱可塑性材料からなるまたは熱可塑性材料を含む接続部品との別のアセンブリを示す図である。
【図３５】図３３の実施形態の断面Ａ−Ａ’の平面図を示す。
【図３６】アバットメントの接触領域を、エネルギ誘導構造体とともに示す図である。
【発明を実施するための形態】
【００６５】
図面において、一般的に参照番号１はインプラント体を示す。インプラント体は、骨組織に固定するための任意の好適なアンカー構造、たとえば外ねじ、または山と谷のパターンを有していてもよい。図面において、そのようなアンカー構造は概略的に示されているにすぎない。インプラント体は、ワンピース型インプラントシステムに属していてもよく、またはツーピース型インプラントシステムに属していてもよく、その場合はアバットメントが必要である。
【００６６】
参照番号２はアバットメントを示す。
参照番号３は上部構造体、特に、クラウン、ブリッジまたは義歯を示す。
【００６７】
概して、同一の参照番号は同一のまたは類似する要素を示す。
図１のアセンブリは、アバットメント２の多孔金属またはセラミック構造体２１を含む。アセンブリは、製造中に既にインプラント体１の本体に取り付けられている熱可塑性材料のインレー１１を有する。インプラント体の固定は、多孔構造体２１を熱可塑性材料に対して押し当てつつ機械的振動をアバットメントに衝突させることにより、実現される。
【００６８】
多孔構造体２１を含むアバットメント２に加えてまたはそれに代えて、インプラント体１はこのような多孔構造体１２（図２）を含んでいてもよく、および／または熱可塑性材料のインレー１１はアバットメント２に属していてもよく（図２）、または熱可塑性材料は別個の中間アイテムとして設けられてもよい。多孔構造体は、インプラント体の取付構造体の表面のみにあってもよく、またはアバットメントにあってもよい。加えて、多孔構造体は、上部構造体をアバットメントに取り付けるのに適した、上部構造体の取付構造体のまたはアバットメントの取付構造体の表面の一部であってもよい。熱可塑性インレーの厚さは０．２〜１ｍｍであってもよい。
【００６９】
図３に示されるように、使用されているソノトロード６は、（たとえばクラウンである、他の実施形態ではアバットメントへの）上部構造体３等の個々の患者のために特別に形成された要素に適した形状の遠位端または根尖側端部を有し得る。特に、アバットメント２の質量中心２０は、ソノトロード６によって定められる中心軸に対して位置合わせされてもよい。
【００７０】
これに代えて、ソノトロードは、個別に形成された要素の特定の形状に適合するようにされている、たとえば受注製造の、たとえば３Ｄプリントされた中間部品６１を備えていてもよい。このような受注製造された中間部品６１は、取り換える歯の形状を模倣したクラウン３（点線）の形状のような、相互に固定される部品のうちの１つが不規則な形状を有する場合に、特に好都合である。ソノトロード６の本体と中間部品との結合は、たとえばねじによるまたはその他の嵌合接続によるものであってもよいが、これに代えて、ソノトロード本体は、全体が結合されていなくてもよく中間部品上に打ち付けられてもよい。
【００７１】
図４は、顎骨組織１００にインプラントされたインプラント体１と、アバットメント２とを示す。インプラント体１は、たとえばねじ接続のツーピース型インプラントシステムの従来のインプラント体と同様に、ねじ山を有する取付開口部１４の形態の取付構造体を有する。アバットメントは、たとえばアンダーカット（図４では図示せず）を有する貫通孔２４を有する。固定のために、接続部品である熱可塑性ピン４が、位置合わせされた貫通孔２４および取付開口部１４に挿入され、機械的振動を、熱可塑性ピン４に対し、熱可塑性材料がアンダーカットに流入するまで衝突させ、再固化後、インプラント体１とアバットメント２とが相互に固定される。
【００７２】
図５の変形例において、寸法が安定した材料、たとえば金属からなる、ねじ山が形成されたピン５等の固定具が、取付開口部１４に固定され、開口部２４への挿入、液化、および再固化後に、嵌合接続が、ピン５とアバットメント２と熱可塑性ピン４の熱可塑性材料との間に、形成される。これにより、屈曲に対するこの接続の安定性が高められる。加えて、ピン４の液化した材料は、ねじ山が形成されたピン５を、軸方向の（後退する）移動が生じないように固定する。
【００７３】
図６は、たとえば、インプラント体１に対してアバットメント２を導くこと／中心に配置することを改善するための、ガイド構造体２５の可能性を示す。接続する部品のうちの少なくとも１つからなるこのようなガイド構造体は、いずれかの実施形態の選択肢である。
【００７４】
図７は、アバットメント２がインプラント体１の取付開口部と係合する取付ポスト２６を有する実施形態を示す。アバットメントの孔２４（貫通孔であってもよく、またはこの実施形態では根尖方向に向けて終端をなす長手方向の開口部であってもよい）は取付ポストに達し、取付ポスト２６は、接続部品４（特に熱可塑性ピン、この実施形態では、最初は別々である複数の熱可塑性要素を使用してもよい）がエネルギ入力および根尖方向の押圧力を受けて流れ出すときに経由する複数の流出開口部を有する。インプラント体１は、取付開口部において、流出した熱可塑性材料を収容するための複数のアンダーカット１８を有していてもよい。
【００７５】
エネルギ入力および再固化後、接続部品４は、アンダーカット１８および横ビーム部の内部において足部分を有し、それにより、接続部品４はアバットメント２をインプラント体１に固定する。
【００７６】
この実施形態は、本発明の他の実施形態と同様、円対称の構造がなく、たとえばねじ山に対する接続とは異なり、接続のために必要な正多角形構造はどの場所にも不要であるという利点を有する。これにより自由度が高まる。
【００７７】
（任意で、部品たとえばアバットメントに予め組付けられていてもよい、長手方向の開口部を有する）接続部品の液化される熱可塑性材料が液化し、（固定される部品のまたはそのような接続部品の一部としての）固体材料からなるポスト部分の中から、上記ポスト部分の長手方向開口部の流出開口部から押し出されてポスト部分の周りの部品と嵌合接続を形成する原理を、以下「インサイドアウト（inside-out）」原理と呼ぶ。
【００７８】
図８の実施形態は、インサイドアウト原理に基づいており、場合によっては互いに独立した、以下の追加の特徴を有する。
【００７９】
−アバットメント２の取付開口部２４および適合する取付ポスト２６は、比較的急峻な円錐２７を有する。この円錐の開口角度は、中心に位置決めし軸方向の力を吸収するが必ずしもブロックしないようにする角度である（モールス円錐（Morse cone）ではない）。
【００８０】
−たとえばリング形状の熱可塑性封止パッド４１が、インプラント体１とアバットメント２との接続を封止する役割を果たす。封止パットの材料は、取付プロセス中に流動可能にされてもよい（熱可塑性材料）。これに代えて、封止パッドはエラストマー材料からなるものであってもよい。
【００８１】
−開口部２４は根尖側で終端をなし、開口部２４の底部はエネルギ誘導構造体３０４を有する。
【００８２】
図９において、アバットメントは、取付スリーブ２８の形態の取付ポストを有する。インプラント取付開口部はアンダーカット１８を有する。接続部品４はヘッド４２を形成し、アバットメントの開口部２４は肩部を形成し、ヘッドの根尖方向を向く部分はこの肩部に置くことができる。エネルギ入力および再固化後、接続部品４は、アンダーカット１８内部に足部分を有し、それにより、接続部品はアバットメント２をインプラント体１に固定する。
【００８３】
図４〜図９の実施形態において、エネルギ入力は、アバットメント２の開口部２４に係合する、振動するソノトロードによって行うことができる。
【００８４】
図１０は、図１の実施形態と同様に、アバットメント２がアンダーカットを画定する取付構造体を有しインプラント体１またはインレーの形態の別個の接続部品が液化して取付構造体に流入可能な熱可塑性材料を有するという原理に基づく接続を示す。
【００８５】
図１０の取付構造体は、インプラントの取付開口部に係合する取付ポスト２９に属する。インプラントの取付開口部の境界は熱可塑性インレー１１によって示される。取付ポスト２６は、深さ有効取付（depth effective attachment）に適しており、把持歯の間に窪みがある構造を含む。中心に位置決めするために、アバットメントおよびインプラント体は、センタリングコーンを、それぞれ把持歯の根尖側およびインレーの冠側において含み得る。
【００８６】
図１０はまた、アバットメント２がインプラント体１に押し込まれたときに生じる静圧効果として逆流した液化した熱可塑性材料部分のためのオーバーフロー部分５１を示す。エネルギ入力および取付ポスト２６のインプラント体１への導入中に、インレー１１の少なくとも一部が液化し、液化した材料が、把持歯の下で流れてオーバーフロー部分５１に入る。図１０はさらに封止リング４１を示す。
【００８７】
図１１は、アバットメント２の、または上部構造体３の、取付構造体の代替形状を示し、この取付構造体は、たとえば全周にわたって延在するアンカー突起５２と、熱可塑性材料を収容して軸方向における嵌合接続をもたらす少なくとも１つのポケット５３とを含む。
【００８８】
図１２は、特に横方向の力に対抗して機械的ロックの役割を果たす軸方向突起７１と微細構造ゾーン７２とを有する取付構造体のさらなる部分を示す。図１３は、軸方向突起７３の修正取付構造体を示し、この構造体は、少なくとも１つのマクロアンダーカット７４を有し、熱可塑性材料の浸透後に軸方向の引張力に抗してさらなる安定性をもたらす。図１４の取付構造体は図１１のものと似ているが、アンカー突起５１がさらに軸方向（ここでは根尖方向）に延在している。
【００８９】
一般的に、インプラント体１とアバットメント２との間の接続について図１、図２、および図４〜図１４を参照しながら述べた取付構造体および原理は、上部構造体を、アバットメントに、または特にワンピース型インプラントシステムのインプラント体に取り付けるのにも適している。また、これらの図面に示される配置全体を逆にしてもよい、たとえば、図１０〜図１４の取付構造体は、インプラント体もしくは熱可塑性材料を有する別個の接続部品に対するアバットメントに属しているだけでなく、代わりに、アバットメントもしくは熱可塑性材料を有する別個の接続部品に対するインプラント体に属していてもよく、または、上部構造体もしくは熱可塑性材料を有する別個の接続部品に対するアバットメントに属していてもよい。
【００９０】
図１５は、上部構造体３およびアバットメント２（または機能的に同様のワンピース型インプラントシステムの冠部分）の配置を示す。アバットメント２は熱可塑性材料８１からなるまたは熱可塑性材料８１のコーティングを有するポストを含み、上部構造体３はポストが係合する取付開口部を含み、この開口部は、熱可塑性材料が流入するアンダーカット８２を画定する取付構造を有する。
【００９１】
図１６は、アバットメントの熱可塑性材料８１が、取付ポスト８３の冠部分を完全にコーティングする代わりに、部分的にのみコーティングするものとして与えられることで、取付プロセスに必要なエネルギを減じることが可能であることを示す。
【００９２】
逆の状況（図１７）では、上部構造体３はコーティング（取付開口部の内部コーティング）として熱可塑性材料９１を含み、アバットメントは、アンダーカットを備えた取付構造体を有し得る。どちらも、全体コーティングとするか部分コーティング９１とするかは選択肢である。
【００９３】
図１８は、一方のアバットメント２／インプラント体と他方の上部構造体３との間のインレーの原理を開示し、このインレー１５１は、封止リングおよび／または保持リングである。エネルギ入力および再固化後、インレー１５１は、アンダーカットに侵入するフィンガー部分を有し、それにより、インレー１５１は上部構造体３をアバットメント２に固定する。
【００９４】
図１９は封止リングの原理を示す。封止リング１５１は、上部構造体３とアバットメント２（またはインプラント体）との間の界面の周り、たとえばその周囲の周りに延在する。上部構造体３およびアバットメント２のアセンブリは、少なくとも１つの、ミクロおよび／またはマクロ取付構造体９３、１５２を画定し、かつオーバーフロー部分１５３を画定する。図１９において、上部構造体３の取付構造体は、環状軸方向突起１５２を有する。突起１５２はミクロ穿孔を有していてもよく（図２０）および／またはマクロアンダーカット構造１５４を有していてもよい（図２１）。
【００９５】
このような封止リングは、
−熱可塑性材料がアンダーカット構造体に浸透した後に得られる嵌合接続によって上部構造体をアバットメント（またはインプラント体）に固定する機能、および、
−上記構造体に浸透させることにより、細菌および不純物が入らないよう上部構造体とアバットメント（またはインプラント体）との間の界面を封止する機能、
という、２つの機能を有することができる。
【００９６】
このような封止リングは、別個の接続部品として、または、アバットメント／インプラント体および／または上部構造体に属するものとして与えることができる。また、これは、インプラント体に対するアバットメントの取付の選択肢であってもよい。
【００９７】
図２２は保持リング１１の選択肢を示す。この保持リングは、たとえば、アバットメント２／インプラント体に対するクラウン３のように、ある部品の別の部品に対する取り外し可能な接続のために与えられてもよい。
【００９８】
接続のために、取付リングは、部品のうちの１つのわずかにアンダーカットされた構造体（第１の溝１１２）の中に入れられ、他方の部品（ここでは第２の溝１１３）が配置される。これらの工程において、保持リング１１１は、場合によっては保持リング１１１を一時的に軟化させるためのエネルギ入力により、わずかに機械的に変形する。エネルギ入力および再固化後、保持リング１１１はこれらの部品に対するポジティブロック嵌め（positive-locking fit）を有する。リングは、（製造中に）２つの部品のうちのいずれか一方に予め装着されてもよく、これら２つの部品双方の配置後に（超音波振動を用いた）エネルギ入力によって他方の部品に装着される。これに代えて、リング１１１は、部品（アバットメント２および上部構造体３）間に配置される別個の要素であってもよく、超音波振動によってこれらに融着される。取付リング１１１は、たとえば、弾性を有するポリウレタンからなるものであってもよく、前に装着した上部構造体に共通のこれら２つの部品間の広い隙間に適したものであってもよい。リング１１１はまた、下のギャップを有する恒久的に固定された上部構造体により適したＰＥＥＫで作られていてもよい。
【００９９】
図２３は本発明のさらに他の原理を示す。熱可塑性接続部品４は、直接、または、上部構造体３をアバットメント２／インプラント体にまたはアバットメントをインプラント体に装着するためだけでなく、たとえば従来の固定具を緩み防止のために装着するために使用される。より具体的には、示されている実施形態において一方の部品（上部構造体３）が他方の部品（アバットメント２またはインプラント体）にねじ１２１で固定される。接続部品は、ねじの近位方向のギャップを熱可塑性材料で充填するために用いられ、それにより、ねじは後退しないよう確実に固定され、かつ、封止される。
【０１００】
固定のために、ねじを配置して締めた後で、接続部品４を上部構造体３の開口部を通して配置する。この開口部を通してねじ１２１にアクセスしねじ１２１を締めることができる。接続部品４に対し、少なくとも遠位部分が実質的に完全に液化してねじ頭を埋め込むまで、機械的エネルギを加える。このプロセス後に近位方向に突出する接続部品４の部分は、たとえば機械的に取り除いてもよい。
【０１０１】
図２４は、上部構造体３が、たとえば同等に根尖位置においてアクセス孔１３１を有し、アバットメント２／インプラント体が、上部構造体３を配置するときにアクセス孔１３１を通してアクセス可能なポケット１３２を有する、さらに他の原理を示す。接続部品４の熱可塑性材料を、この材料が流動可能になり上部構造体３とアバットメント２／インプラント体との間の界面に沿って分布するまで、衝突する機械的エネルギでポケット１３２の中に押し込む。このアセンブリは、熱可塑性材料で充填し得る周方向の（そうでなければ延長された）空のスペースを含むものであってもよい。空のスペースは、アバットメントおよび／または上部構造体内の溝によって与えられてもよい。空のスペースのまたはアクセス孔およびポケットの内部の面は、連続領域を形成し、これが、部品のうちの少なくとも１つに対してミクロ構造を有するおよび／またはアンダーカットされることで、嵌合接続をなすことができる。任意で、部品（上部構造体、アバットメント／インプラント）のうちの少なくとも１つは、このスペースに沿って、熱可塑性材料に融着可能な熱可塑性材料を含み得る。
【０１０２】
図２４に示されるように、機械的振動を、振動を受ける位置で偏向させるのに適した、装置／ソノトロード６を用いることが好都合な場合がある。患者の口内にクラウンを固定するのに使用されるピン４に振動エネルギを衝突させることができるようにするためには、第１の軸に沿って振動するように設定可能でありこのような振動を振動出力位置において第２の軸に沿う振動に伝える装置を使用するのが有用である場合があり、第１および第２の軸は互いの間に角度（９０〜１１０°）を形成する。このような装置は、たとえば、ＥＰ１９９１１５４に記載されている。
【０１０３】
図２５は、図２４の矢印で示されポケット１３２を通る面に沿う断面を示し、熱可塑性材料が流入し得る空のスペース１３３を示す。
【０１０４】
一般的に、本発明に従う手法は、必ずしも円対称ではない係合構造を有する接続部品に適している。これは、それ自体は円対称ではないが人間の歯またはその根の形状に近い形状を有するインプラント体のインプラントシステムにとって特に好都合であろう。図１５〜図２５の実施形態の原理は、インプラント体に対するアバットメントの取付にも適用可能である。
【０１０５】
図２６は、インプラント体１に対するアバットメント２の接続に適用されるリング形状のインレーまたは接続部品４の原理を示す。この場合のソノトロード６は、アバットメント２の冠方向に面する肩部１６１に対して押すことができ、必ずしも受注製造された形状ではない。有効高さ（取付プロセス中に近位部品を遠位部品に対して前進させる高さ）は、１〜２ｍｍであってもよい。
【０１０６】
図２７は、たとえば取付ポストの水平方向断面を極めて概略的に示し、この断面は、不規則な六角形状の六角形である。
【０１０７】
図２８は、アバットメント２上に配置される上部構造体３と、熱可塑性材料からなるまたは熱可塑性材料を含む接続部品４とのアセンブリを示す。接続部品４は、製造中にアバットメント２に取り付けられていてもよい。接続部品４は、その冠側端部において、ここでは尖頭形状のエネルギ誘導構造２０１を有し得る。上部構造体３の取付構造体は、再固化後に嵌合接続を形成する液化した熱可塑性材料で充填されるアンダーカット１８を有する。
【０１０８】
図２９は、アバットメント２上に配置される上部構造体３と、熱可塑性材料からなるまたは熱可塑性材料を含む接続部品４との別のアセンブリを示す。加えて、上部構造体３の（部品４の導入のための）開口部に導入されてエネルギを接続部品４に与えるソノトロード６が示される。これに代えて、開口部がない上部構造体３に嵌合するソノトロードを用いてもよい。ソノトロード６は、上部構造体３の個々の形状に適合する根尖側端部を有する中間要素への接続部を有し得る。
【０１０９】
接続部品４は、ピンの形態の根尖側端部と、ここでは直方体の形態のエネルギ誘導構造２０１を有する冠側ヘッドとを有していてもよい。上部構造体３の取付構造体はアンダーカット２００を有し、アバットメント２の取付構造体はアンダーカット２０３を有する。液化した熱可塑性材料はこれらのアンダーカットに流入して再固化後に嵌合接続を形成する。好ましくは、ｌ１、ｌ２およびｌ３を、エネルギ入力およぎ再固化後に上部構造体３とアバットメント２との間に細い隙間（＜０．１ｍｍ）が確実に残るように（たとえば長さｌ３および長さｌ２が長さｌ１よりも小さくなるように）選択される。上部構造体は固定する必要があるが、咀嚼中に作用する力の下で上部構造体３が振動できるように、上部構造体が嵌合することが好ましい。
【０１１０】
図３０は、アバットメント２の取付構造体（下側の部品）と、全体が熱可塑性材料で作られていてもよい接続部品とを示し、この接続部品は、冠側リング３００と、接続バー３０１と、根尖側リング３０２とを含む。この接続部品は、アバットメント２のテーパ状取付構造体の上に、カップのように置くことができる。冠側リング３００はアバットメント２の最上部の上に載せることができ、接続バー３０１はアバットメントの細長い窪み３０４に嵌めることができ、根尖側リング３０２はアバットメント２の棚部分３０５に装着し得る。根尖側リング３０２はアバットメント２と上部構造体との間の封止リングとして機能し得る。
【０１１１】
ある実施形態において、アバットメントの細長い窪み３０４のうちの少なくとも１つは、鋸歯状の面（たとえば横方向の面または後方の壁）を有していてもよく、または、鋸歯３０３で構成されていてもよい。鋸歯は極めて小さな構造体であってもよい。それに加えてまたはそれに代えて、アバットメント２に固定する上部構造体（図示せず）が、接続バー３０１を嵌合させることができる、鋸歯または鋸歯状構造を有する細長い窪みを有していてもよい。接続バー３０１の熱可塑性材料が鋸歯に流入して嵌合接続を形成することができる。接続バー３０１の厚さは、０．２〜１ｍｍ、好ましくは０．４〜０．７ｍｍｍであってもよい。細長い窪み３０４の深さは、０．１〜０．３５ｍｍであってもよい。好ましくは、細長い窪みの深さは、接続バー３０１の厚さの４０〜６０％の間である。これにより、上部構造体を取り外した後に接続部品の熱可塑性材料が十分に残ることで、アバットメントと上部構造体との第２の嵌合接続が可能が保証される。
【０１１２】
細長い窪み３０４の幅は、０．２〜１ｍｍ、好ましくは０．４〜０．７ｍｍｍであってもよい。より近接して位置することが可能な、アバットメントまたは上部構造体のいくつかの細長い窪み３０４があってもよい。これにより、超音波振動によってまたは機械的に（上部構造体を外すてこにより）生じ得る、上部構造体を取り外す必要がある場合の熱可塑性材料への損傷が減じられる。
【０１１３】
図３１は、図３０と同様の実施形態を示す。接続部品の根尖側リング３０２が、アバットメント２の周方向溝３４０に嵌合することにより、アバットメント２と上部構造体（図示せず）との間のスペースを封止することができる。
【０１１４】
図３０および図３１に示されるアセンブリは、上部構造体とアバットメントとの間の隙間を最小にすることができるが、静止不定形システム（たとえばセラミック／チタン構造体上のセラミック構造体）における周方向の接触を可能にすることにより、高ピーク負荷を取り除くことができる。加えて、記載されている接続部品により、上部構造体を、２つ以上の同じ終端位置で固定できる。上部構造体またはアバットメントを再度研削する必要はない。その考えられる理由は、熱可塑性材料を（再固化後に）再度液化させて上部構造体を取り外すことができることにある。次に、新たな接続部品を用いて上部構造体を再び同じ終端位置を有するアバットメントに固定することができる。これに代えて、接続バーに、液化させて固化中に嵌合接続を形成する材料が十分に残っている場合は、「古い」接続部品を使用することもできる。
【０１１５】
図３２は、図２９に示されるものと同様の、上部構造体３とアバットメント２と接続部品４とのアセンブリを示す。示されているアセンブリはエネルギ入力後のものであり、したがって、接続部品４は部分的に液化され再固化されている。液化した熱可塑性材料はアバットメント２および上部構造体３のアンダーカットを充填しているので、長手方向の断面はアンビルの図形を想起させる。しかしながら、示されている断面に垂直な面における断面は、丸いもしくは不定形のものであってもよく、または多角形であってもよい。接続部品４に加えて、アセンブリは、上部構造体３および／またはアバットメント２に融着した後にこれら２つの部品間のスペースを封止する熱可塑性材料を含む封止リング３０２を含んでいてもよい。
【０１１６】
図３３は、アバットメント２の上に置かれる上部構造体３と、熱可塑性材料からなるまたは熱可塑性材料を含む接続部品４との別のアセンブリを示す。上部構造体３は、好ましくは上部構造体の根尖側端部においてアクセス孔３０５を有し、アバットメント２は、上部構造体３がアバットメントの上に置かれた後でアクセスホール３０５を通してアクセス可能なポケットを有する。ピンの形態の接続部品４の熱可塑性材料をこのポケットに導入することができる。開口３０５により、さらに、熱可塑性材料が少なくとも部分的に液化し上部構造体３とアバットメント２との間の界面に沿って少なくとも１つのアンダーカット、ここではアバットメント２のアンダーカットによって形成される空のスペースに流れ込むまで、ツールを用いて機械的エネルギをピン３０６に衝突させることができる。連続したスペースを形成する、アンダーカット、アクセス孔および／またはポケットの内部の界面に沿う表面は、微細構造であってもよい。任意で、部品のうちの少なくとも１つ（上部構造体またはアバットメント）は、このスペースに沿って、ピン３０６の熱可塑性材料に溶着可能な熱可塑性材料を含んでいてもよい。
【０１１７】
図３４は、図３３のアセンブリと非常によく似たアセンブリを示す。この実施形態においても、上部構造体は、ピン３０６の液化した材料で充填し得るアンダーカットを有する。より多くの液化材料が必要な場合は、２つ以上のピンを導入しその後液化のために超音波エネルギを用いてもよい。加えて、図３４は、アンダーカットが対称でなくてもよいことを示している。充填する空のスペースまたは各アンダーカットの形状は、２つの自由度、すなわち、軸方向の張力（および圧力）と回転とをロックできるように選択されてもよい。
【０１１８】
一例が図３５に示される。図３５は、図３３のＡ−Ａ’に沿う断面の図を示す。ピンの形態の接続部品４は、超音波振動の使用により液化され、熱可塑性材料は、上部構造体３とアバットメント２との界面において、少なくとも２つの方向３０７、３０８に突出する断面を有する、たとえば十字形を形成するように配置された空のスペースに、流入することができるようになっている。これにより、２つの自由度をロックすることができる。図３６は、具体例として、アバットメント２の取付構造体が、尖端または鋭いエッジであってもよいエネルギ誘導構造体３１０を含み得ることを示している。これにより、接続部品４（たとえばピン）がどの場所で最初に液化するかを制御することができる。好ましくは、接続部品は、最初に、アバットメント２内の溝、チャネル、または長手方向のボアの底で液化し、その後に初めてピン４と上部構造体との間の界面で液化することができる。加えて、エネルギ誘導構造体３１０は、熱可塑性材料の流れを導くのに適切であってもよい（矢印参照）。エネルギ誘導構造体３１０を（ボア、溝またはチャネルの中央ではなく）非対称に配置することにより、液化した材料の異なる部分を、異なる方向に、または異なる大きさのアンダーカット／空のスペースに導くことができる。
【図１】
2021521922.tif 000003
【図２】
2021521922.tif 000004
【図３】
2021521922.tif 000005
【図４】
2021521922.tif 000006
【図５】
2021521922.tif 000007
【図６】
2021521922.tif 000008
【図７】
2021521922.tif 000009
【図８】
2021521922.tif 000010
【図９】
2021521922.tif 000011
【図１０】
2021521922.tif 000012
【図１１】
2021521922.tif 000013
【図１２】
2021521922.tif 000014
【図１３】
2021521922.tif 000015
【図１４】
2021521922.tif 000016
【図１５】
2021521922.tif 000017
【図１６ａ】
2021521922.tif 000018
【図１６ｂ】
2021521922.tif 000019
【図１７】
2021521922.tif 000020
【図１８】
2021521922.tif 000021
【図１９】
2021521922.tif 000022
【図２０】
2021521922.tif 000023
【図２１】
2021521922.tif 000024
【図２２】
2021521922.tif 000025
【図２３】
2021521922.tif 000026
【図２４】
2021521922.tif 000027
【図２５】
2021521922.tif 000028
【図２６】
2021521922.tif 000029
【図２７】
2021521922.tif 000030
【図２８】
2021521922.tif 000031
【図２９】
2021521922.tif 000032
【図３０】
2021521922.tif 000033
【図３１】
2021521922.tif 000034
【図３２】
2021521922.tif 000035
【図３３】
2021521922.tif 000036
【図３４】
2021521922.tif 000037
【図３５】
2021521922.tif 000038
【図３６】
2021521922.tif 000039
【国際調査報告】
2021521922.tif 000040
2021521922.tif 000041
2021521922.tif 000042
2021521922.tif 000043
2021521922.tif 000044
2021521922.tif 000045
2021521922.tif 000046